(57)【要約】      （修正有）【課題】棚板の後端部に埃が溜まることを防ぐことで、見映えを良好にすることができ、しかも収納枠に対して棚板が離脱することを防止できる収納什器を提供する。【解決手段】雑誌を収納する収納部Ｒを有する収納枠２と、収納枠２の内周面に支持されて収納部Ｒに配置され、鉛直面に対して傾斜する物品載置面３１ａが形成された物品載置板３１を有する棚板３と、を備え、収納枠２は、床面Ｆ上に設置されるとともに、上面視で物品載置板３１に直交する前後方向の両側に対向して配置された前面板２１及び後面板２２を備え、最も後方に位置する第三棚板３Ｃの後端部３ａは、後面板２２の前面板２１を向く内面に支持され、後面板２２の内面には、第三棚板３Ｃの後端部３ａを上方から覆う凹溝２５の天面２５ａが設けられた構成とする。【選択図】図３
2020103842.tif 000002
【特許請求の範囲】
【請求項１】
物品を収納する収納部を有する収納枠と、該収納枠の内周面に支持されて前記収納部に配置され、鉛直面に対して傾斜する物品載置面が形成された物品載置部を有する少なくとも一つの棚板と、を備え、
前記収納枠は、上面視で前記物品載置面に直交する前後方向の両側に対向して配置された前壁部及び後壁部を備え、
前記後壁部の前記前壁部を向く内面には、前記棚板の少なくとも一つの後端部が支持され、かつ該後端部を上方から覆う被覆部が設けられていることを特徴とする収納什器。
【請求項２】
前記後壁部の前記内面には、前記収納部側に向けて開口する凹部が形成され、
該凹部の天面は、前記棚板の後端部の上方を覆う前記被覆部であることを特徴とする請求項１に記載の収納什器。
【請求項３】
前記棚板の後端部は、前記凹部に係合されていることを特徴とする請求項２に記載の収納什器。
【請求項４】
前記棚板は、前記収納枠に支持されていることを特徴とする請求項１乃至３のいずれか１項に記載の収納什器。
【請求項５】
前記前壁部の前記後壁部を向く内面には、前記棚板の少なくとも一つの前端部が支持され、かつ該前端部を上方から覆う前端被覆部が設けられていることを特徴とする請求項１乃至４のいずれか１項に記載の収納什器。
【発明の詳細な説明】
【技術分野】
【０００１】
本発明は、収納什器に関する。
【背景技術】
【０００２】
従来、用途の異なる書類を整理する収納用キャビネットとして、例えば特許文献１に示されるような、底板と、什器の長手方向と短手方向との両方に立設される立壁部とにより形成される上方開口型の空間において、立壁部に仕切り板を架設させて支持した構成のものが知られている。
【０００３】
また、例えば銀行や病院等の待ち合わせロビー等で使用され、雑誌等を取り出し自在に収納するマガジンラック等の収納什器が知られている（例えば、特許文献２参照）。
特許文献２には、比較的高さのある書籍を、表紙を傾斜させた状態で展示できるように載置するための什器であって、傾斜状態の雑誌背面支持面と雑誌下面支持面とからなる側面視Ｌ字状に形成された棚板を備え、かつこれら雑誌背面支持面と雑誌下面支持面が前後方向に複数連結された状態で側板に支持された構成となっている。
【先行技術文献】
【特許文献】
【０００４】
【特許文献１】実開昭５９−０６４０５０号公報
【特許文献２】特開２０１７−１９２６１９号公報
【発明の概要】
【発明が解決しようとする課題】
【０００５】
しかしながら、従来のマガジンラック等の収納什器では、以下のような問題があった。
すなわち、上述した特許文献２に示すような従来の収納什器では、雑誌を使用者の目の高さに近い位置から正面に向かって視認できるようにするため、雑誌を垂直に近い状態で支持ように構成される。これに対し、雑誌の上方からの視認性を向上させる場合には、複数の棚板を上述した特許文献１に開示されるような什器に設けたうえで、鉛直面に対してより大きく傾斜させる構成を採用することが考えられる。この場合には、傾斜した状態の棚板をより安定的に支持するために、雑誌背面支持面の先端部を立壁部に当接させる構成とすることが一般的である。
【０００６】
ところが、棚板は一定の厚さを有する板状の部材であり、図１２（ａ）に示すように、棚板９の木口面９ａが厚さ方向に沿う鉛直面をなすように加工されている。したがって、木口面９ａを立壁部９１に当接させて支持すると、木口面９ａの角部のうち立壁部９１の表面９１ａ寄りの角部９ｂと立壁部９１との間に隙間が生じ、その隙間に埃９２が溜まって見映えが悪くなることから、その点で改善の余地があった。また、図１２（ｂ）のように木口面を立壁部９１に合わせて斜めに切断した場合でも、その木口面９ｃと立壁部９１の表面９１ａとの境界部分に埃９２が溜まりやすい。
【０００７】
さらに、棚板と立壁部との間の前記隙間に使用者の指が差し込まれ、その指によって棚板を立壁部等の収納枠から引き剥す方向へのモーメントを発生させてしまう。そのため、棚板が収納枠から離脱するおそれがあり、その点で問題があった。
【０００８】
本発明は、上述する問題点に鑑みてなされたもので、棚板の後端部に埃が溜まることを防ぐことで、見映えを良好にすることができ、しかも収納枠に対して棚板が離脱することを防止できる収納什器を提供することを目的とする。
【課題を解決するための手段】
【０００９】
上記目的を達成するため、本発明に係る収納什器は、物品を収納する収納部を有する収納枠と、該収納枠の内周面に支持されて前記収納部に配置され、鉛直面に対して傾斜する物品載置面が形成された物品載置部を有する少なくとも一つの棚板と、を備え、前記収納枠は、上面視で前記物品載置面に直交する前後方向の両側に対向して配置された前壁部及び後壁部を備え、前記後壁部の前記前壁部を向く内面には、前記棚板の少なくとも一つの後端部が支持され、かつ該後端部を上方から覆う被覆部が設けられていることを特徴としている。
【００１０】
本発明では、棚板の少なくとも一つの後端部が後壁部の内面に支持された状態で、その棚板の後端部が後壁部の内面に形成される被覆部によって上方から覆われているため、その棚板の後端部に埃が溜まり難くなるうえ、上方から見て棚板の後端部が被覆部に隠れて見えないので、見映えを良好にすることができる。
さらに、本発明では、棚板の後端部が後壁部の内面に支持されているので、収納枠に対して棚板が離脱することを防止できる。
また、棚板の後端部が被覆部によって隠れた状態であり、棚板の後端部と後壁部との接合面が露出していないことから、その接合部分の境界に指が差し込まれて棚板が後壁部の内面に支持された状態から引き剥がされて棚板が離脱することを防止できる。
【００１１】
また、本発明に係る収納什器は、前記後壁部の前記内面には、前記収納部側に向けて開口する凹部が形成され、該凹部の天面は、前記棚板の後端部の上方を覆う前記被覆部であることが好ましい。
【００１２】
この場合には、凹部の天面を含む部分が被覆部として構成されるので、後壁部の内面から張り出す形状の突起部を形成する必要がなく、簡単な構造で棚板の後端部を覆う構造を実現することができる。
【００１３】
また、本発明に係る収納什器は、前記棚板の後端部は、前記凹部に係合されていることをとしてもよい。
【００１４】
このような構成により、棚板の後端部が、後壁部に形成される凹部に係合することによって、棚板を後壁部に対して安定した姿勢により支持することができ、棚板の離脱をより確実に防止できる。
【００１５】
また、本発明に係る収納什器は、前記棚板は、前記収納枠に支持されていることを特徴としてもよい。
【００１６】
この場合には、棚板が収納枠に支持されているので、棚板の離脱をより確実に防止できる。しかも、収納什器全体の剛性も向上することができるので、棚板と収納枠とのがたつきを防止できる利点がある。
【００１７】
また、本発明に係る収納什器は、前記前壁部の前記後壁部を向く内面には、前記棚板の少なくとも一つの前端部が支持され、かつ該前端部を上方から覆う前端被覆部が設けられていることを特徴としてもよい。
【００１８】
このような構成により、棚板の少なくとも一つの前端部が前壁部の内面に支持された状態で、棚板の前端部が前壁部の内面に形成される被覆部よって上方から覆われることになる。そのため、その棚板の前端部に埃が溜まり難くなるうえ、上方から見て棚板の前端部が被覆部の下方に隠れて見えないので、見映えを良好にすることができる。
【発明の効果】
【００１９】
本発明の収納什器によれば、棚板の後端部に埃が溜まることを防ぐことで、見映えを良好にすることができ、しかも収納枠に対して棚板が離脱することを防止できる。
【図面の簡単な説明】
【００２０】
【図１】本発明の実施形態によるマガジンラックを斜め前方から見た斜視図である。
【図２】図１に示すＡ−Ａ線断面図であって、マガジンラックの一方の側面板を省略した斜視断面図である。
【図３】図２に示すマガジンラックを左右方向から見た側断面図である。
【図４】マガジンラックを下方からみた平面図である。
【図５】マガジンラックを上方からみた平面図である。
【図６】図５に示すＢ−Ｂ線断面図である。
【図７】図５に示すＣ−Ｃ線断面図であって、凹溝と棚板の係合状態を示す要部拡大図である。
【図８】棚板を下方からみた平面図である。
【図９】棚板の頂部に形成される下方開口部の構成を示す要部拡大図である。
【図１０】第一変形例によるマガジンラックの要部拡大図である。
【図１１】第二変形例によるマガジンラックの要部拡大図である。
【図１２】（ａ）、（ｂ）は、従来の構成を示す要部拡大図である。
【発明を実施するための形態】
【００２１】
以下、本発明の実施形態による収納什器について、図面に基づいて説明する。
【００２２】
図１〜図６に示す本実施形態によるマガジンラック１（収納什器）は、例えば銀行や病院等の待ち合わせロビーの床に載置した状態で使用され、雑誌（物品）を斜めに立て掛けて取りだし自在に収納するものである。
【００２３】
マガジンラック１は、雑誌を収納する収納部Ｒを有する収納枠２と、収納枠２の内周面に支持され収納部Ｒに配置される複数（ここでは３枚）の棚板３と、を備えている。
【００２４】
ここで、本実施形態では、マガジンラック１の上下方向Ｘ３とし、棚板３の配列方向（本実施形態では短辺方向に相当）を左右方向Ｘ１とし、上方から見た平面視で左右方向Ｘ１に直交する方向を前後方向Ｘ２（本実施形態では長辺方向に相当）という。また、マガジンラック１の前後方向Ｘ２において、棚板３が倒れる方向側を後方、後側といい、その反対側を前方、前側という。
【００２５】
収納枠２は、床面Ｆ上に設置されるとともに収納部Ｒの前後方向Ｘ２の両側に対向して配置された前面板２１（前壁部）、後面板２２（後壁部）と、前面板２１及び後面板２２を左右方向Ｘ１の両側から覆う一対の側面板２３、２３と、一対の側面板２３、２３の下方を覆う底面板２４と、を備えている。
収納枠２は、前面板２１、後面板２２、及び一対の側面板２３、２３によって上面視で矩形状に囲まれた形状を呈している。前面板２１、後面板２２、及び一対の側面板２３、２３は、それぞれ平板状で平面視矩形に形成されている。
【００２６】
側面板２３は、前面板２１及び後面板２２よりも上下方向の長さが短く設定されている。前面板２１、後面板２２、及び一対の側面板２３、２３の上端同士は、同じ高さとなるように設定されている。側面板２３の下方には、床面Ｆとの間に空間（埃排出空間Ｋ）が形成されている。
そして、一対の側面板２３は、それぞれの前端２３ａ及び後端２３ｂが前面板２１及び後面板２２に対してダボ係合と接着により接合されている。
【００２７】
前面板２１と後面板２２は、床面Ｆ上に載置され、下端にアジャスター、あるいはキャスターが装着されている。
【００２８】
後面板２２は、前面板２１と同様の形状をなしている。後面板２２の内面２２ａの上部には左右方向Ｘ１の全体わたって延びて収納部Ｒ側（前面板２１側）に向けて開口する凹溝２５（凹部）が形成されている。
図７に示すように、凹溝２５の溝深さＤは、複数配列される棚板３のうち最も後方に位置する棚板３（第三棚板３Ｃ）を凹溝２５内に進入させて当接させた状態で、その第三棚板３Ｃの後端部３ａが凹溝２５の天面２５ａ（被覆部）によって上方から覆われる寸法に設定されている。つまり、第三棚板３Ｃの前頂端３ｂは、凹溝２５の内側に位置して、凹溝２５よりも上側に位置する後面板２２の内面２２ａよりも収納部Ｒ側に張り出さないようになっている。
【００２９】
底面板２４は、図３に示すように、前端部２４ａと後端部２４ｂがそれぞれ前面板２１及び後面板２２の上下方向の略中央部に対してダボ係合と接着により接合されている。底面板２４の左右方向Ｘ１の長さは、一対の側面板２３、２３同士の離間寸法よりも小さくなっている。図４及び図６に示すように、底面板２４の左右方向Ｘ１の両側端部２４ｃ、２４ｃとそれぞれに対向する側面板２３との間には、一定の間隔で前後方向Ｘ２に延在する埃排出開口２６が形成されている。
【００３０】
収納枠２は、上下方向Ｘ３で底面板２４を挟んだ上方に前記収納部Ｒが形成され、下方に埃排出空間Ｋが形成されている。埃排出空間Ｋは、前後方向Ｘ２には前面板２１と後面板２２が配置され、左右方向Ｘ１が開放された領域である。収納部Ｒと埃排出空間Ｋとは左右両側に位置する埃排出開口２６を通じて連通されている。
【００３１】
各棚板３は、図２、図３、図６及び図８に示すように、収納部Ｒにおいて斜め上方に向けて配置される物品載置面３１ａを有する物品載置板３１（物品載置部）と、物品載置板３１の下端から直交方向で前方側に延ばされた物品下部支持部３２と、を備えている。棚板３は、物品載置板３１と物品下部支持部３２とによって左右方向Ｘ１からみた側面視でＬ字状に形成されている。
ここで、各棚板３において、前方から後方に配列される順に第一棚板３Ａ、第二棚板３Ｂ、第三棚板３Ｃとする。
【００３２】
各棚板３Ａ、３Ｂ、３Ｃは、図３に示すように、それぞれの物品載置板３１を平行に配置し、かつそれぞれの頂部３ｄが同一平面上に配置される状態で一体に接合され棚板ユニット３０を形成している。第二棚板３Ｂは、物品下部支持部３２の前端部３２ａが第一棚板３Ａの物品載置板３１の後面３１ｂに当接しダボ係合と接着により接合されている。第三棚板３Ｃは、物品下部支持部３２の前端部３２ａが第二棚板３Ｂの物品載置板３１の後面３１ｂに当接しダボ係合と接着により接合されている。
【００３３】
棚板ユニット３０は、収納部Ｒ内に配置され、各棚板３Ａ、３Ｂ、３Ｃの頂部３ｄが底面板２４の上面２４ｄに載置された状態で下方から支持されている。つまり、物品載置板３１と物品下部支持部３２とによって形成される谷部分が各棚板３Ａ、３Ｂ、３Ｃの最下点に位置する。各物品載置板３１は、一対の側面板２３、２３に対して当接しダボ係合と接着により接合されている。そして、第一棚板３Ａの物品下部支持部３２の前端部３２ａは前面板２１の内面２１ａに対して非固着により当接した状態で支持されている。第三棚板３Ｃの物品載置板３１の後端部３ａは、上述したように後面板２２の凹溝２５内で非固着により当接した状態で支持されている。
棚板ユニット３０が収納部Ｒに配置されると、物品載置面３１ａは斜めに向けた状態で配置される。そして、物品載置板３１と物品下部支持部３２の内角側の領域（物品載置領域Ｍ）には、本実施形態では雑誌等が物品載置面３１ａに立て掛けるようにして載置される。
【００３４】
各棚板３Ａ、３Ｂ、３Ｃは、図８及び図９に示すように、各頂部３ｄの左右方向Ｘ１の両端部に下方開口部３３が形成されている。下方開口部３３は、物品載置板３１の下端部に形成される第一切欠開口部３３Ａと、物品下部支持部３２の基端部に形成される第二切欠開口部３３Ｂと、からなる。下方開口部３３の切欠形状は、上面視で全体にわたって湾曲した形状となっている。
下方開口部３３によって形成される開口は、図４及び図６に示すように、上述した底面板２４と側面板２３との間に形成される埃排出開口２６の上方に重なる位置となっている。つまり、棚板ユニット３０における物品載置面３１ａ側の物品載置領域Ｍと、埃排出開口２６と、埃排出空間Ｋとが連通している（図３参照）。
【００３５】
棚板ユニット３０では、図９に示すように、物品載置板３１と物品下部支持部３２との接合部３ｅに溜まった埃を下方開口部３３から下方に排出することができる。なお、図９の矢印は、埃の移動向きを示している。
【００３６】
次に、上述したマガジンラック１の作用について、図面に基づいて詳細に説明する。
本実施形態によるマガジンラック１では、図２、図３及び図７に示すように、棚板ユニット３０における最も後方に位置する第三棚板３Ｃの後端部３ａが後面板２２の内面２２ａ（凹溝２５）に支持された状態で、その第三棚板３Ｃの後端部３ａが凹溝２５に形成される天面２５ａによって上方から覆われているため、その第三棚板３Ｃの後端部３ａに埃が溜まり難くなるうえ、上方から見て第三棚板３Ｃの後端部３ａが天面２５ａに隠れて見えないので、見映えを良好にすることができる。
【００３７】
さらに、本実施形態では、第三棚板３Ｃの後端部３ａが後面板２２の内面に支持されているので、収納枠２に対して棚板３が離脱することを防止できる。
【００３８】
また、本実施形態では、第三棚板３Ｃの後端部３ａが天面２５ａによって隠れた状態であり、第三棚板３Ｃの後端部３ａと後面板２２との接合面が露出していないことから、その接合部分の境界に指が差し込まれて第三棚板３Ｃが後面板２２の内面に支持された状態から引き剥がされて棚板ユニット３０（各棚板３）が離脱することを防止できる。
【００３９】
また、本実施形態では、凹溝２５の天面２５ａを含む部分が被覆部として構成されるので、後面板２２の内面から張り出す形状の突起部を形成する必要がなく、簡単な構造で第三棚板３Ｃの後端部３ａを覆う構造を実現することができる。
【００４０】
さらに、本実施形態では、第三棚板３Ｃの後端部３ａが、後面板２２に形成される凹溝２５に係合することによって、第三棚板３Ｃを後面板２２に対して安定した姿勢により支持することができ、棚板３の離脱をより確実に防止できる。
【００４１】
さらにまた、本実施形態では、各棚板３Ａ、３Ｂ、３Ｃが収納枠２の側面板２３に支持されているので、棚板３の離脱をより確実に防止できる。しかも、収納什器全体の剛性も向上することができるので、棚板３と収納枠２とのがたつきを防止できる利点がある。
【００４２】
上述のように本実施形態によるマガジンラック１では、棚板３の後端部３ａに埃が溜まることを防ぐことで、見映えを良好にすることができ、しかも収納枠２に対して棚板３が離脱することを防止できる。
【００４３】
（第一変形例）
図１０に示す第一変形例によるマガジンラック１Ａ（収納什器）は、後面板２２において上述した実施形態の凹溝２５に代えて突出部２８（被覆部）を備えた構成のものである。突出部２８は、後面板２２の内面２２ａより前方に突出し、左右方向Ｘ１の全体にわたって延在している。第三棚板３Ｃの後端部３ａは、突出部２８の下面に相当する天面２８ａによって上方から覆われている。
突出部２８の突出長は、上述した凹溝２５の溝深さＤ（図７参照）と同寸法に設定され、第三棚板３Ｃを突出部２８の下方に当接させた状態で、その第三棚板３Ｃの後端部３ａが突出部２８の天面２８ａによって上方から覆う寸法に設定されている。
【００４４】
（第二変形例）
また、図１１に示す第二変形例によるマガジンラック１Ｂ（収納什器）は、第一棚板３Ａの前端部３２ａが前面板２１（前壁部）の後面板２２を向く内面２１ａに支持されている。そして、棚板ユニット３０における最も前方に位置する第一棚板３Ａの前端部３２ａを上方から覆う天面２７ａ（前端被覆部）を有する凹溝２７（凹部）が設けられている。
【００４５】
凹溝２７は、上述した後面板２２に形成される凹溝２５（図７参照）と同様の形状であり、前面板２１の内面上部には左右方向Ｘ１の全体わたって延びて収納部Ｒ側（後面板側）に向けて開口している。凹溝２７の溝深さＤは、第一棚板３Ａを凹溝２７内に進入させて当接させた状態で、その第一棚板３Ａの前端部３ｃが凹溝２７の天面２７ａによって上方から覆う寸法に設定されている。
【００４６】
第二変形例では、棚板ユニット３０における第一棚板３Ａの前端部３ｃが前面板２１の内面２１ａに支持された状態で、第一棚板３Ａの前端部３ｃが前面板２１の内面２１ａに形成される天面２７ａよって上方から覆われることになる。そのため、その第一棚板３Ａの前端部３ｃに埃が溜まり難くなるうえ、上方から見て第一棚板３Ａの前端部３ｃが天面２７ａの下方に隠れて見えないので、見映えを良好にすることができる。
【００４７】
以上、本発明による収納什器の実施形態について説明したが、本発明は上記の実施形態に限定されるものではなく、その趣旨を逸脱しない範囲で適宜変更可能である。
【００４８】
例えば、上記実施形態では、棚板ユニット３０の各棚板３Ａ、３Ｂ、３Ｃが側面板２３に対してダボ係合及び接着により支持されているが、このような支持状態を省略することも可能である。また、棚板３の接合部分として側面板２３に限定されることはなく、後端部３ａ、あるいは前端部３２ａが収納枠２に接合されていてもよい。
【００４９】
また、本実施形態のような棚板ユニット３０であることに限定されることはない。例えば、棚板ユニット３０の棚板３の数量は、本実施形態のように３つであることに制限されることはなく、任意に設定することが可能である。また、棚板３の構成として物品載置板３１と物品下部支持部３２とによって側面視でＬ字形状に形成されているが、このような形状に限定されることはない。
【００５０】
また、本実施形態では、前面板２１と後面板２２とが底面板２４よりも下方に突出して床面Ｆに載置して立設されているが、このような形態であることに限定されることはない。例えば、底面板に取り付けられた単柱脚により収納什器の荷重が支持される構成とすることも可能であり、この場合には上述した前面板２１と後面板２２が床面Ｆから立設する必要はない。また、収納枠における前後面板と両側面板との関係が逆転した構成、すなわち一対の側面板が前面板と後面板よりも下方に延びて、床面に載置される構成とすることも可能である。
【００５１】
また、本実施形態では、収納枠２として、底面板２４を備えた構成としているが、この底面板２４を省略することも可能である。
さらに、本実施形態では、棚板３と底面板２４に開口部を形成しているが、このような開口部を省略してもよい。
【００５２】
その他、本発明の趣旨を逸脱しない範囲で、上記した実施形態における構成要素を周知の構成要素に置き換えることは適宜可能である。
【符号の説明】
【００５３】
１、１Ａ、１Ｂ  マガジンラック（収納什器）
２  収納枠
３、３Ａ、３Ｂ、３Ｃ  棚板
３ａ  後端部
３ｃ  前端部
２１  前面板（前壁部）
２１ａ  内面
２２  後面板（後壁部）
２２ａ  内面
２３  側面板
２４  底面板
２５、２７  凹溝（凹部）
２５ａ  天面（被覆部）
２７ａ  天面（前端被覆部）
２６  埃排出開口
２８  突出部
２８ａ  天面（被覆部）
３０  棚板ユニット
３１  物品載置板（物品載置部）
３１ａ  物品載置面
３２  物品下部支持部
３２ａ  前端部
３３  下方開口部
Ｋ  埃排出空間
Ｍ  物品載置領域
Ｒ  収納部
Ｘ１  左右方向
Ｘ２  前後方向
Ｘ３  上下方向
Ｆ  床面
【図１】
2020103842.tif 000003
【図２】
2020103842.tif 000004
【図３】
2020103842.tif 000005
【図４】
2020103842.tif 000006
【図５】
2020103842.tif 000007
【図６】
2020103842.tif 000008
【図７】
2020103842.tif 000009
【図８】
2020103842.tif 000010
【図９】
2020103842.tif 000011
【図１０】
2020103842.tif 000012
【図１１】
2020103842.tif 000013
【図１２】
2020103842.tif 000014